(57)【要約】【課題】  障子に手をかけたままで障子を開閉しても戸先框と縦枠の間に指を挟む恐れが少ない開口部装置を提供する。【解決手段】  四辺の枠体１１０と、該枠体内を左右方向に移動可能に構成された少なくとも一枚の障子１２０、１３０とを備えた開口部装置において、前記枠体と障子との相対位置を感知する相対位置感知手段３０と該相対位置感知手段と協働するストッパ６０とを具備し、前記障子が開放位置から閉鎖位置直前の所定位置に達すると前記相対位置感知手段がそれを感知することにより前記ストッパが前記障子の閉鎖方向への移動を規制し、さらにその位置から前記障子を開放方向に所定距離移動させるとともに再び閉鎖方向に移動させると前記相対位置感知手段がそれを感知して前記ストッパによる規制が解除されるように構成する。【選択図】      図４
2006022616.tif 000002
【特許請求の範囲】
【請求項１】
四辺の枠体と、該枠体内を左右方向に移動可能に構成された障子と、この障子の移動を規制するストッパとを備え、
前記障子が閉鎖位置に近づくと前記ストッパにより前記障子の閉鎖が規制され、この状態から前記障子を開放方向に移動させた後再び閉鎖方向に移動させると、前記ストッパの規制が解除される、開口部装置。
【請求項２】
四辺の枠体と、該枠体内を左右方向に移動可能に構成された少なくとも一枚の障子と、を備えた開口部装置であって、
前記枠体と障子との相対位置を感知する相対位置感知手段と、前記障子の閉鎖動作を規制するストッパと、前記相対位置感知手段により感知された前記枠体と障子との相対位置に基づいて前記ストッパの動作を制御する制御手段とを具備し、
前記障子が開放位置から閉鎖位置直前の所定位置に達すると前記相対位置感知手段がそれを感知することにより前記ストッパが前記障子の閉鎖方向への移動を規制し、
さらにその位置から前記障子を開放方向に所定距離移動させるとともに、再び閉鎖方向に移動させると前記相対位置感知手段がそれを感知して、前記ストッパによる規制が解除されることを特徴とする、開口部装置。
【請求項３】
前記ストッパは、前記枠体と障子とがなす相対移動面に対し、突没自在に構成されていることを特徴とする請求項２に記載の開口部装置。
【請求項４】
前記相対位置感知手段は、前記相対移動面に対し、突没自在に構成されたトリガーであり、
該トリガーは前記障子が開放位置にあるときは前記相対移動面から突出するとともに、前記ストッパは該相対移動面下に没しており、
前記障子の最初の閉鎖動作により前記トリガーは前記相対移動面下に没するとともに、前記ストッパが、前記相対移動面上に突出されて、前記障子の閉鎖動作を規制し、
次の前記障子の開放側への動作により前記トリガーは再び前記相対移動面上に突出され、  さらに前記障子を閉鎖方向に移動することにより、前記トリガー及びストッパが前記相対移動面下に没する、ことを特徴とする請求項２又は３に記載の開口部装置。
【請求項５】
前記トリガー及びストッパは、前記枠体側から突没自在に構成されていることを特徴とする、請求項４に記載の開口部装置。
【請求項６】
前記トリガー及びストッパは、前記障子側から突没自在に構成されるとともに、
前記枠体には、前記障子移動の際に突出されたトリガー及びストッパと、位置的に干渉する干渉部材が備えられていることを特徴とする、請求項４に記載の開口部装置。
【請求項７】
前記トリガー及びストッパは、前記相対移動する枠体内部に回動自在に固定されるとともに、該回動により前記トリガー及びストッパの他端側が前記相対移動面に対して突没し、
前記トリガーは前記障子の開方向に第一弾性部材により回動付勢されるとともに前記回動面の直交方向に突出する接触子を備え、
さらに、前記相対移動面に平行に移動可能に構成されるとともに一端側が前記ストッパとカム機構を構成し、他端方向へと第二弾性部材により付勢されているスライダと、このスライダの他端側に配置され、第三弾性部材により上方に付勢されて前記スライダとの間に前記接触子を受け入れ可能な空隙を形成するスライド規制ピースと、を具備し、
前記障子の最初の閉鎖動作がされると、前記トリガーは前記第一弾性部材の付勢に抗して回動されて前記相対移動面下に没して前記障子の所定区間の通過を許容するとともに、このトリガーの回動により前記スライド規制ピース、及びスライダが前記第二弾性部材の付勢に抗して前記障子の閉鎖方向に前記接触子により押圧移動され、このスライダの移動により前記カム機構を介して前記ストッパが回動されて前記相対移動面上に突出することにより、前記障子の前記所定区間から先の閉方向への移動を規制し、
次の前記障子の開放側への動作により前記トリガーは前記第一弾性部材の付勢により再び前記相対移動面上に突出されるとともに、前記接触子は、前記空隙を移動して、前記スライド規制ピースと接触することにより、前記スライダが前記第二弾性部材により付勢方向に移動されるのを規制し、
さらに前記障子が閉鎖方向に移動されると、前記トリガーは再び前記第一弾性部材の付勢に抗して回動されて前記相対移動面下に没して前記障子の所定区間の通過を許容するとともに、前記接触子は前記空隙から脱出されてスライド規制ピースへの接触がなくなることにより、前記スライダが第二弾性部材の付勢により再び元の位置に復帰し、前記カム機構によって前記ストッパが回動されて前記相対移動面下に没し、前記所定区間以降の前記障子の閉動作を許容することを特徴とする請求項５項に記載の開口部装置。
【発明の詳細な説明】
【技術分野】
【０００１】
本発明は、開口部装置に関し、特に障子を閉鎖する際に該障子と縦框との間に指を挟むことが防止される開口部装置に関する。
【背景技術】
【０００２】
開口部装置であるサッシは、上枠、下枠及び左右の縦枠からなる枠体と、この枠体内に左右方向に開閉移動自在に設けられた障子とを備えている。障子は、通常、上桟、下桟及び左右の縦框からなる框体内にガラスパネルを嵌め込んで構成されている。
【０００３】
かかるサッシにおいて、障子を閉める際に、戸先框を横から握った状態で無意識に障子を閉めたりすることがあり、このとき、障子と枠体の間、すなわち障子の戸先框（戸先側の縦框）と枠体の縦枠との間に指を挟む恐れがある。特に近年、障子自体は複層ガラスパネル化などにより重量が増加の傾向にあり、かつ障子の動き自体は構造の改良により軽くなる傾向にあるため、上記の指を挟む事故が起きやすくなっている。
【０００４】
特許文献１には、縦枠又は障子の縦框にこれら縦枠と縦框の間に所定の隙間を確保するためのストッパを設け、該ストッパーを手動でストッパ部材のセット及びリセットが可能に構成することによって、戸先框と縦枠の間に指を挟む事故を未然に防止することができる開口部装置が開示されている。
【特許文献１】特開２００３−３１４１４０号公報
【発明の開示】
【発明が解決しようとする課題】
【０００５】
しかし、特許文献１に開示された開口部装置の構造によると、障子を完全に閉状態するには、一旦障子から手を離してリセットボタンを押すことが必要であり、操作が面倒であるという問題があった。
【０００６】
そこで、本発明は、障子に手をかけたままで障子を開閉しても戸先框と縦枠の間に指を挟む恐れが少ない開口部装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、四辺の枠体（１１０）と、該枠体内を左右方向に移動可能に構成された障子（１２０、１３０）と、この障子の移動を規制するストッパ（６０）とを備え、前記障子が閉鎖位置に近づくと前記ストッパにより前記障子の閉鎖が規制され、この状態から前記障子を開放方向に移動させた後再び閉鎖方向に移動させると、前記ストッパの規制が解除される、開口部装置（１００、２００、３００）である。
【０００９】
請求項２に記載の発明は、四辺の枠体（１１０）と、該枠体内を左右方向に移動可能に構成された少なくとも一枚の障子（１２０、１３０）とを備えた開口部装置であって、前記枠体と障子との相対位置を感知する相対位置感知手段（３０）と、前記障子の閉鎖動作を規制するストッパ（６０）と、前記相対位置感知手段により感知された前記枠体と障子との相対位置に基づいて前記ストッパの動作を制御する制御手段（４０、５０、３５、６５）とを具備し、前記障子が開放位置から閉鎖位置直前の所定位置に達すると前記相対位置感知手段がそれを感知することにより前記ストッパが前記障子の閉鎖方向への移動を規制し、さらにその位置から前記障子を開放方向に所定距離移動させるとともに再び閉鎖方向に移動させると前記相対位置感知手段がそれを感知して前記ストッパによる規制が解除されることを特徴とする開口部装置（１００、２００、３００）である。ここに「所定位置」とは、障子縦框（１２３）と枠体縦枠（１１３）との間の距離が人の指の太さより大きく取れる位置であり、本発明において上記距離は特に限定されるものではないが、例えば１５〜５０ｍｍ程度に設定されても良い。
【００１０】
請求項３に記載の発明は、請求項２に記載の開口部装置（１００、２００、３００）において、前記ストッパ（６０）は、前記枠体（１１０）と障子（１２０、１３０）とがなす相対移動面に対し、突没自在に構成されていることを特徴とする。ここに、「相対移動面」とは、ストッパが枠体に取り付けられているときには、障子の上桟側面、若しくは上面、又は下桟の側面、若しくは下面であり、下記請求項６の場合のようにストッパが障子に取り付けられる場合には、上枠又は下枠に取り付けられる干渉部材の先端を含む障子移動方向に平行な面である。さらに、ストッパや下記請求項４に規定されるトリガーが、ボックス内に取り付けられている場合、相対移動面はこれらトリガー、及びストッパが突没する該ボックスの一つの外表面に一致する。
【００１１】
請求項４に記載の発明は、請求項２又は３に記載の開口部装置（１００、２００、３００）において、前記相対位置感知手段は前記相対移動面に対し突没自在に構成されたトリガー（３０）であり、該トリガーは前記障子（１２０、１３０）が開放位置にあるときは前記相対移動面から突出するとともに前記ストッパ（６０）は該相対移動面下に没しており、前記障子の最初の閉鎖動作により前記トリガーは前記相対移動面下に没するとともに、前記ストッパが前記相対移動面上に突出されて前記障子の閉鎖動作を規制し、次の前記障子の開放側への動作により前記トリガーは再び前記相対移動面上に突出され、さらに前記障子を閉鎖方向に移動することにより、前記トリガー及びストッパが前記相対移動面下に没することを特徴とする。
【００１２】
請求項５に記載の発明は、請求項４に記載の開口部装置（１００、２００、３００）において、前記トリガー（３０）及びストッパ（６０）は、前記枠体（１１０）側から突没自在に構成されていることを特徴とする。
【００１３】
請求項６に記載の発明は、請求項４に記載の開口部装置（１００、２００、３００）において、前記トリガー（３０）及びストッパ（６０）は前記障子（１２０、１３０）側から突没自在に構成されるとともに、前記枠体には前記障子移動の際に突出されたトリガー及びストッパと位置的に干渉する干渉部材（２５０Ａ、２５０Ｂ）が備えられていることを特徴とする。
【００１４】
請求項７に記載の発明は、請求項５に記載の開口部装置（１００、２００、３００）において、前記トリガー（３０）及びストッパ（６０）は前記相対移動する枠体（１１０）内部に回動自在に固定されるとともに該回動により前記トリガー及びストッパの他端（３４、６３）側が前記相対移動面に対して突没し、前記トリガーは前記障子（１２０、１３０）の開方向に第一弾性部材（７０）により回動付勢されるとともに前記回動面の直交方向に突出する接触子（３５）を備え、さらに前記相対移動面に平行に移動可能に構成されるとともに一端側が前記ストッパとカム機構（４５、６５）を構成し他端方向へと第二弾性部材（８０）により付勢されているスライダ（４０）と、このスライダの他端側に配置され第三弾性部材（９０）により上方に付勢されて前記スライダとの間に前記接触子（３５）を受け入れ可能な空隙を形成するスライド規制ピース（５０）とを具備し、
前記障子の最初の閉鎖動作がされると、前記トリガーは前記第一弾性部材の付勢に抗して回動されて前記相対移動面下に没して前記障子の所定区間の通過を許容するとともに、このトリガーの回動により前記スライド規制ピース、及びスライダが前記第二弾性部材の付勢に抗して前記障子の閉鎖方向に前記接触子により押圧移動され、このスライダの移動により前記カム機構を介して前記ストッパが回動されて前記相対移動面上に突出することにより、前記障子の前記所定区間から閉方向への移動を規制し、
次の前記障子の開放側への動作により前記トリガーは前記第一弾性部材の付勢により再び前記相対移動面上に突出されるとともに、前記接触子は、前記空隙を移動して、前記スライド規制ピースと接触することにより、前記スライダが前記第二弾性部材により付勢方向に移動されるのを規制し、
さらに前記障子が閉鎖方向に移動されると、前記トリガーは再び前記第一弾性部材の付勢に抗して回動されて前記相対移動面下に没して前記障子の所定区間の通過を許容するとともに、前記接触子は前記空隙から脱出されてスライド規制ピースへの接触がなくなることにより、前記スライダが第二弾性部材の付勢により再び元の位置に復帰し、前記カム機構によって前記ストッパが回動されて前記相対移動面下に没し、前記所定区間以降の前記障子の閉動作を許容することを特徴とする。
【発明の効果】
【００１５】
請求項１の発明によれば、障子が枠体の縦枠に近づくと、ストッパによりそれ以上の閉鎖が規制されるので、勢いよく閉めた障子の縦框と縦枠とに指を挟む事故が防止される。その後一旦開放方向に障子を移動した後に障子の最後までの閉鎖動作が許容されるので、この間の障子移動距離はわずかであり、障子に勢いを付けることが困難であるので指をはさむことが防止される。また例え万が一、指を挟んだとしても障子の勢いがないので、大きな怪我をすることが防止される。
【００１６】
請求項２の発明によれば、障子と枠体との間の距離が所定距離になると相対位置感知手段がそれを感知して、その感知結果に基づき又は連動して制御手段がストッパの動作を制御する。動作制御されたストッパはそれ以上の障子の閉鎖動作を規制する。さらにその位置から障子を開放方向に所定距離移動させて再び閉鎖方向に移動させると、相対位置感知手段がそれを感知してこれに基づく制御手段の動作制御を受けて、ストッパによる規制が解除される。したがって、勢いよく閉めた障子の縦框と縦枠とに指を挟む事故が防止される。その後一旦開放方向に障子を移動した後に障子の最後までの閉鎖動作が許容されるので、この間の障子移動距離はわずかであり、障子に勢いを付けることが困難であるので指をはさむことが防止される。またたとえ指を挟んだとしても障子の勢いがないので、大きな怪我をすることがない。
【００１７】
請求項３の発明によれば、ストッパを相対移動面上に突出させることにより、障子の閉鎖動作を規制し、ストッパを相対移動面下に没することにより、障子の閉鎖動作を許容することができる。
【００１８】
請求項４の発明によれば、障子の動作によりトリガーを動作させ、該トリガーの動作によりストッパを動作させることができるので、特に高度な制御装置を使用することなく、障子の動作により自動的に閉鎖動作の規制、解除を実現することができる。
【００１９】
請求項５の発明によれば、ストッパ及びトリガーを枠体側に取り付けて障子の動作を規制することができる。
【００２０】
請求項６の発明によれば、ストッパ及びトリガーを障子側に取り付けて、これと枠体側に取り付けた干渉部材との協働により、障子の動作を規制することができる。
【００２１】
請求項７の発明によれば、障子の開放状態ではトリガーは相対移動面上に突出されているが、障子の最初の閉鎖動作がされると、障子により第一弾性部材の付勢に抗して回動されて相対移動面下に押し込まれ没する。これによって障子の所定区間の通過を許容する。また、このトリガーの回動によりスライド規制ピース、及びスライダが第二弾性部材の付勢に抗して障子の閉鎖方向に接触子により押圧移動される。このスライダの移動によりカム機構を介してストッパが回動されて前記相対移動面上に突出する。これにより、障子の所定区間から閉方向への移動を規制することができる。さらに、次の障子の開放側への動作により、トリガーは第一弾性部材の付勢により、再び相対移動面上に突出される。そして接触子は、空隙を移動して、スライド規制ピースと接触する。この接触により、スライダが第二弾性部材により付勢方向に移動されるのが規制される。さらに障子が閉鎖方向に移動されると、トリガーは再び第一弾性部材の付勢に抗して回動されて相対移動面下にして、障子の所定区間の通過を許容する。このとき接触子は空隙から脱出されて、スライド規制ピースへの接触がなくなるので、スライダが第二弾性部材の付勢により再び元の位置に復帰する。そしてカム機構によってストッパが回動されて相対移動面下に没し、障子動作の規制が解除される。かくして所定区間以降の障子の閉動作を許容され、障子の閉動作を完了することができる。
【００２２】
本発明のこのような作用及び利得は、次に説明する発明を実施するための最良の形態から明らかにされる。
【発明を実施するための最良の形態】
【００２３】
本発明は、上下左右の四辺の枠体と、該枠体内を左右方向に移動可能に構成された少なくとも一枚の障子とを備えた開口部装置に関するものである。障子は典型的には、左右２枚の引き違い障子が挙げられるが、片側はめ殺しの一枚障子、あるいは４枚障子等であってもよい。本発明の特徴的部分であるストッパを含む機構は、水平方向に関し、障子が閉鎖されるときに障子縦框と枠体の縦枠とが当接される近傍に適用される。上記ストッパを含む機構は、前記枠体と障子との相対位置を感知する相対位置感知手段と、該相対位置感知手段と協働するストッパとを具備する。以下に説明する各実施形態では、これら相対位置感知手段とストッパとは一つのボックス内に収められて、上下いずれかの枠体、又は障子の桟に取り付けられている。障子が開放位置から閉鎖位置直前の所定位置に達すると、相対位置感知手段がそれを感知することによりストッパが障子の閉鎖方向への移動を規制する。さらにその位置から障子を開放方向に所定距離移動させるとともに再び閉鎖方向に移動させると、相対位置感知手段がそれを感知して、ストッパによる規制が解除される。かかる障子動作の規制によって、使用者が障子の縦框と枠体縦枠との間に指をはさんで怪我をする事故を防止することが容易となる。
【００２４】
以下本発明を図面に示す実施形態に基づき説明する。
【００２５】
図１は、本発明の一実施形態にかかる開口部装置を室内側から示す正面図である。図示の開口部装置１００は、枠体１１０の内部に左右に移動可能な外障子１２０と内障子１３０とを備えている。枠体１１０は、上枠１１１及び下枠１１２、並びに左縦枠１１３及び右縦枠１１４が四辺に配置され、縦通しの枠体に組み上げられている。
【００２６】
外障子１２０は、上桟１２１、下桟１２２、及び左右の縦框１２３、１２４（右縦框１２４は後述する内障子１３０の左縦框１３３と召し合っているため図面には現れていない。）を四辺に配し、これら桟及び框の内部にガラスパネル１２６が嵌め込まれている。不図示の右縦框１２４には、後述する内障子１３０の左縦框１３３に取り付けられたクレッセント１３５と係合されるクレッセント受け１２５（不図示）が取り付けられている。
【００２７】
一方、内障子１３０は、上桟１３１、下桟１３２、及び左右の縦框１３３、１３４が四辺に配され、これら桟及び框の内部にガラスパネル１３６が嵌め込まれている。外障子の右縦框１２５と召し合う右縦框１３５には、内障子の右縦框１２５に取り付けられたクレッセント受け１２５に係合するクレッセント１３５が取り付けられている。
【００２８】
開口部装置１００の図１において「Ａ」で示されている左上部、及び「Ｂ」で示されている右上部には、本発明の特徴的部分である動作規制ボックスが取り付けられている。
【００２９】
図２Ａは、図１のＡ部の縦断面図である。この図では、上下の枠１１１、１１２の間に外障子１２０が表されている。外障子の左縦框１２３及び右縦框（召し合せ框）１２４の上端には振れ止めピース１２９が取り付けられており、この振れ止めピース１２９の上向きに開口するスリット部に上枠１１１から下方に延設された振れ止め片１１５が差し入れられて、外障子１２０上部の見込み方向への振れが防止されている。外障子の上下の桟１２１、１２２のそれぞれ下面側、上面側にはグレージングチャネル１２７ｐ、１２７ｑが配置され、これらグレージングチャネル１２７ｐ、１２７ｑを介して上下の桟１２１、１２２にガラスパネル１２６が固定されている。
【００３０】
下枠１１２には、レール１１６が上向きに延設されている。一方、外障子の下桟１２２には、下面から下方にその一部が突出するように戸車１２８が回転自在に取り付けられている。そして戸車１２８がレール１１６上を、紙面手前／奥方向に転動することにより、外障子１２０は枠体１１０内を左右水平方向（図では紙面の手前／奥方向）に移動可能に構成されている。
【００３１】
上枠１１１には、動作規制ボックス１０ａが取り付けられている。動作規制ボックス１０ａは、その下面側からネジが上方に向けて差し入れられて、上枠１１１の下面に固定されている（これらについては図２Ａでは不図示である。）。図において動作規制ボックス１０ａの左側面側からは、外障子１２０の上桟１２１室内側に向けて、後述するトリガー３０ａ（不図示）及びストッパ６０ａが突没する。ストッパ６０ａが動作規制ボックス１０ａの左側面側から突出することにより、外障子１２０の水平方向の動きが規制される。これについては後に詳しく説明する。なお、同一開口部装置の左右に動作規制ボックスが備えられている場合、本明細書においては、上記のように動作規制ボックス、ストッパ、トリガーの参照符号にａ、ｂを付して左右の別を表す。左右の別を要しないときは上記「ａ、ｂ」を付さずに表す。
【００３２】
図２Ｂは、図１のＢ部の縦断面図である。この図では、上下の枠１１１、１１２の間に内障子１３０が表されている。内障子の左縦框（召し合せ框）１３３、及び右縦框１３４の上端には振れ止めピース１３９が取り付けられており、この振れ止めピース１３９の上向きに開口するスリット部に上枠１１１から下方に延設された振れ止め片１１７が差し入れられて、内障子１３０上部の見込み方向への振れが防止されている。内障子の上下の桟１３１、１３２のそれぞれ下面側、上面側にはグレージングチャネル１３７ｐ、１３７ｑが配置され、これらグレージングチャネル１３７ｐ、１３７ｑを介して上下の桟１３１、１３２にガラスパネル１３６が固定されている。
【００３３】
下枠１１２には、レール１１８が上向きに延設されている。一方、内障子の下桟１３２には、下面から下方にその一部が突出するように戸車１３８が回転自在に取り付けられている。そして戸車１３８がレール１１８上を転動することにより、内障子１３０は枠体１１０内を左右水平方向（図では紙面の手前／奥方向）に移動可能に構成されている。
【００３４】
上枠１１１の室内側には動作規制ボックス１０ｂが取り付けられている。動作規制ボックス１０ｂは、その下面側からネジが上方に向けて差し入れられて、上枠１１１の下面に固定されている（これらについては、図２Ｂでも不図示である。）。図において動作規制ボックス１０ｂの左側面側からは、後述するトリガー３０ｂ及びストッパ６０ｂが突没する。ストッパ６０ｂが動作規制ボックス１０ｂの左側面側から突出することにより、内障子１３０の水平方向の動きが規制される。
【００３５】
図２Ｃは、図２Ｂの上部を拡大し、併せて外障子１２０を書き加えた縦断面図である。具体的には内外の障子１３０、１２０が重なって配置された場合の当該重なった部分の垂直断面を表している。ここに表されている各部材はすでに図２Ａ、及び２Ｂにおいて説明したので、ここではそれらと同一参照符号を付してその説明は省略する。
【００３６】
図３Ａは、図１のＡ部に注目して示す横断面図である。この図においては、外障子１２０は、閉鎖されて左縦框１２３が左縦枠１１３に当接されている。なお、内障子１３０に対応する動作規制ボックス１０ｂの図示は省略されている。外障子１２０の室内側には、その左端面を左縦枠１１３に接するようにして動作規制ボックス１０ａが配置されている。動作規制ボックス１０ａの外障子１２０と接する側には、後述するねじりばね７０（本図には図示されていない。）により外障子１２０の方向に回転付勢されたトリガー３０ａの先端部が、外障子上桟の室内側面に当接されている様子が表されている。前記したとおり、動作規制ボックス１０ａは、孔１１ｐ、１２ｐより差し入れられたネジにより上枠１１１（図２Ａ〜Ｃ参照）の下面側に取り付けられている。右縦枠１１４には外障子１２０の動作軌道延長上に戸当たりストッパ１４０が接するように配置されている。下枠１１２（図２Ａ〜Ｃ参照）には、レール１１６（図２Ａ参照）が外障子１２０の下側にその左右動作方向に延設されている。レール１１６の右端は、戸当たりストッパ１４０のわずかに手前に設定されている。かかる構成により外障子１２０が図の右方向に引き寄せられても、右縦枠１１４と外障子右縦框１２４との衝突が回避され、これらの間に指を挟むことがない。なお、戸当たりストッパ１４０は、右縦枠１１４の上下端部２箇所に配置することが好ましいが、一箇所でも良い。外障子１２０を開放位置から図示の閉鎖位置まで動作させる際の、動作規制ボックス１０ａとの関係に付いては後に詳しく説明する。
【００３７】
図３Ｂは、図１のＢ部に注目して示す横断面図である。この図においては、内障子１３０は、閉鎖されて右縦框１３４が右縦枠１１４に当接されている。なお、外障子１２０に対応する動作規制ボックス１０ａの図示は省略されている。内障子１３０の室内側には、その右端面を右縦枠１１４に接するようにして動作規制ボックス１０ｂが配置されている。動作規制ボックス１０ｂの内障子１３０と接する側には、後述するねじりばね７０（本図には図示されていない。）により内障子１３０の方向に回転付勢されたトリガー３０ｂの先端部が、内障子上桟の室内側の面に当接されている様子が表されている。動作規制ボックス１０ｂは、孔１１ｑ、１２ｑより差し入れられたネジにより、上枠１１１（図２Ａ〜Ｃ参照）の室内側かつ下面側に接するように取り付けられている。左縦枠１１３と、下枠１１２とのコーナー部には内障子１３０の動作軌道延長上に戸当たりストッパ１５０がこれら両枠の内側の面に接するように配置されている。戸当たりストッパ１５０の左右方向の幅は動作規制ボックス１０ａ（図３Ａ参照）の左右方向の幅と略同一に形成されている。下枠１１２（図２Ａ〜Ｃ参照）には、レール１１８（図２Ｂ参照）が内障子１３０の下側にその左右動作方向に延設されている。レール１１８の左端は、戸当たりストッパ１５０のわずかに手前に設定されている。かかる構成により、内障子１３０が図の左方向に引き寄せられると、内障子の左縦框１３３の上端部が動作規制ボックス１０ａの右端面に、左縦框１３３の下端部が戸当たりストッパ１５０の右端面に当設されて、内障子１３０がそれ以上左方向へ移動することが規制される。かくして、内障子１３０と左縦枠１１３との衝突が回避される。したがって本実施形態の開口部装置１００においては、動作規制ボックス１０ａが上部に配設されるべき戸当たりストッパの機能を兼ね備えている。障子１２０、１３０を開放位置から図示の閉鎖位置まで動作させる際の、動作規制ボックス１０ａ、１０ｂとの関係に付いても後に詳しく説明する。
【００３８】
図４は、図３Ｂにおける動作規制ボックス１０ｂの納まり図である。この図は、内障子１３０の閉鎖動作と、動作規制ボックス１０ｂに備えられたトリガー３０ｂ、及びストッパ６０ｂの動作との関係を概略的に示すものである。図４（ａ）では、内障子１３０は、開放位置にあり、このときトリガー３０ｂは、動作規制ボックス１０ｂから内障子１３０の閉鎖動作軌道上に突出しており、一方ストッパ６０ｂは動作規制ボックス１０ｂ内に没している。
【００３９】
次に図４（ｂ）では、内障子１３０が閉鎖軌道上を右方向に移動され、トリガー３０ｂは内障子１３０の右縦框１３４による押圧を受けて動作規制ボックス１０ｂ内に押し込まれる。このトリガー３０ｂの動作により動作規制ボックス１０ｂ内の機構（後に詳しく説明する。）を介してストッパ６０ｂが動作規制ボックス１０ｂ内から起立し、閉鎖軌道上に突出して内障子１３０の閉鎖を規制する。
【００４０】
さらに、図４（ｃ）では、一旦図４（ｂ）の状態から内障子１３０を開放側に後退させている。そうするとトリガー３０ｂが再び動作規制ボックス１０ｂ内から起立して、内障子の動作軌道上に突出する。このときストッパ６０ｂは動作規制ボックス１０ｂから突出したままである。そしてまたさらに、図４（ｄ）に示すように、内障子１３０を閉鎖動作させると、トリガー３０ｂは再び内障子１３０の右縦框１３４による押圧を受けて動作規制ボックス１０ｂ内に押し込まれる。このトリガー３０ｂの動作により動作規制ボックス１０ｂ内の機構（これについても後に詳しく説明する。）を介してストッパ６０ｂが動作規制ボックス１０ｂ内に没して、内障子１３０の閉鎖方向への動作規制が解除され、閉鎖動作が完了される。
【００４１】
したがって、本実施形態の開口部装置１００によれば、内障子１３０が右縦枠１１４に近づくと、ストッパ６０ｂによりそれ以上の閉鎖が規制されるので、勢いよく閉めた内障子１３０の右縦框１３４と右縦枠１１４とに指を挟む事故が防止される。その後一旦開放方向に内障子１３０を移動した後に障子の最後までの閉鎖動作が許容されるので、この間の障子移動距離はわずかであり、内障子１３０に勢いを付けることが困難なので指をはさむことが防止される。また仮に、指を挟んだとしても内障子１３０の勢いがないので、大きな怪我をすることが防止される。
【００４２】
図５は、動作規制ボックス１０の分解斜視図である。また、図６は、組み立てられた動作規制ボックス１０の斜視図である。これらの図は図３Ａにおける動作規制ボックス１０ａを左縦枠１１３の室外側斜め上方の視点から表したものである。第一実施形態の開口部装置１００における動作規制ボックス１０の取り付け姿勢は、図５、６の上面（水平面に見える。）が、紙面奥向きの垂直面となる。図６（ａ）は、障子が開放されている状態における、トリガー３０、及びストッパ６０の姿勢を示すもの、図６（ｂ）は、ストッパ６０が障子の閉鎖を規制している状態を示すものである。さらに、図７（ａ）、（ｂ）は、それぞれ図６（ａ）、（ｂ）に対応する垂直方向の断面を示す図である。
【００４３】
動作規制ボックス１０は、外殻としてのケース２０、及びケース裏蓋９５とを備え、それらの内側にトリガー３０とストッパ６０とが回動自在に取り付けられている。以下に動作規制ボックス１０の構造を詳しく説明する。
【００４４】
ケース２０は、全体が略直方体形状であり、ケース自体を開口部装置の枠体等にネジ等で取り付けるための孔１１、１２が両側面を貫いている。下面側は、組み立てのためにほぼ全面が開口されており、この開口を裏蓋９５が閉鎖する。裏蓋９５の両端にも孔９６、９７が設けられており、これら孔９６、９７は、裏蓋９５がケース２０に組み付けられた時に、ケースの孔１２、１１と連通される。上面はトリガー３０、及びストッパ６０が突没するための、二つのスリット状開口２３、２４が設けられている。また、ケース側面にはトリガー３０、及びストッパ６０を回動自在に取り付けるための軸１、２を通す孔２１、２２がそれぞれ設けられている。
【００４５】
トリガー３０の一端側には、垂直方向に、孔３１が設けられている。孔３１に軸１が差し入れられて、トリガー３０はケース２０に回動自在に取り付けられている。軸１にはねじりばね７０が取り付けられている。ねじりばね７０の一端側はトリガー３０に当接され、他端側はその弾性に抗するようにケース２０の内壁に当接されている。かかる構成により、トリガー３０は、紙面右奥方向に回転付勢されている。障子が開放されている状態（例えば図４（ａ）に表されている状態）において、トリガー３０はケース２０の上面から突出して、スリット状開口２３の端部に当接されている。トリガー３０の長手方向中ほどにも、孔３１と平行な方向に孔３２が設けられている。孔３２には針状の接触子３５が差し入れられて固定されている。接触子３５の先端側は紙面左奥方向にトリガー３０から突出している。この接触子３５は、トリガー３０の動作を後述するスライド規制ピース５０及びスライダ４０に伝え、これらの部材とともに当該動作規制ボックス１０の機能の中心的な役割を果たす。その詳細については後述する。
【００４６】
スライダ４０は、ケース２０内で、水平方向（障子１２０、１３０の開閉方向）に摺動自由に納められている。スライダ４０の長手方向一端側には、長手方向に穴４１が形成され、その穴４１には自由状態において穴４１の深さより長いコイルばね８０が差し入れられている。当該コイルばね８０の他端側はケース２０の内壁に当接され、スライダ４０はかかる構成によって、障子１２０、１３０の開方向に付勢されている。さらにスライダ４０の室内側の面には、略「へ」の字を左右反転させた形状のカム溝４５が形成されている。このカム溝４５は、後述するストッパの接触子６５とカム機構を形成している。当該カム機構においてはカム溝４５が主節、接触子６５が従節となっている。
【００４７】
スライダ４０のコイルばね８０当接部とは反対側の端部には陥没部４２が形成されている。陥没部４２には、上方からスライド規制ピース５０が嵌入される。陥没部４２の底面と、スライド規制ピース５０との間にはコイルばね９０が配置されている。コイルばね９０は十分な長さを有し、スライド規制ピース５０は上方に付勢されて、通常状態ではその上面がケース２０の上面を構成する壁の下面に当接されている。
【００４８】
ストッパ６０は、孔６１に軸２が差し入れられてケース２０に回動自在に取り付けられている。さらにストッパ６０の略中央部には孔６１に平行な孔６２が設けられている。この孔６２に円柱状の接触子６５が差し入れられて固定されている。接触子６５の先端側は紙面左奥方向にストッパ６０から突出している。接触子６５は前記の通り、スライダ４０のカム溝４５とカム機構を構成する。
【００４９】
図８は、動作規制ボックス１０のケース２０を示す斜視図である。（ａ）は図６と同一方向の視点から表した図であり、（ｂ）は、（ａ）とは反対側の視点から表したものである。これらの図には、ケース２０の上面に形成されたスリット状開口２３、２４が示されている。開口２３からはトリガー３０が、開口２４からはストッパ６０が回動により突没可能となるように構成されている。
【００５０】
図９は、トリガー３０を示す斜視図である。（ａ）、（ｂ）はそれぞれ異なる視点から表したトリガー３０を示している。トリガー３０は、孔３１に嵌め入れられた軸１によりケース２０に回動自在に取り付けられ、本実施形態の開口部装置１００の取り付け状態において、その回動面は水平である。したがって、軸１は鉛直方向にケース２０に取り付けれている。トリガー３０の略中央部の孔３２には接触子３５が嵌め入れられ、その一端側はスライダ４０側に突出している。孔３１の反対側には頂部３４が形成され、頂部３４から中央部方向に向けて被接触面３３が形成されている。被接触面３３は障子が閉鎖されて
来ると、障子の縦框に接触され、押圧を受ける。
【００５１】
図１０は、スライダ４０を示す斜視図である。図示のスライダ４０は、スライダ本体４６と、トリガー３０、ストッパ６０が配置されている紙面右手前側の一端側に突出するようにカム溝部４７が設けられている。カム溝部４７はその内部にカム溝４５が形成されている。スライダ本体４６のカム溝部４７が形成された一端側とは反対側の端部には、陥没部４２が形成されている。前述したようにこの陥没部４２には、スライド規制ピース５０が上方から差し入れられる。陥没部４２の中央寄りトリガー３０と対向する側には動作規制部４３がトリガー３０側に突出するように設けられている。動作規制部４３には、上記スライド規制ピース５０の受け入れ方向に向く規制面４４が形成されている。
【００５２】
図１１は、スライド規制ピース５０を示す斜視図である。図１１（ａ）には、スライド規制ピース５０とスライダ４０との位置関係を示すため、スライダ４０を鎖線でスライド規制ピース５０とともに表している。スライド規制ピース５０は、本体である嵌合部５１と、嵌合部５１からトリガー３０の方向に突出する動作規制部５２とを備えている。動作規制部５２には、上記接触子３５の突出方向に平行な３つの面、すなわち立設面５３、傾斜面５４、規制対向面５５が形成されている。スライダ４０にスライド規制ピース５０が組み込まれると、スライダの規制面４４と、スライド規制ピース５０の規制対向面５５とが対向して配置される。さらに嵌合部５１の下面には非貫通孔５６が設けられている。非貫通孔５６にはコイルばね９０が差し入れられる。コイルばね９０の下端はスライダ陥没部４２の底板上面に、上端は非貫通孔５６の天井面に当接されて、スライド規制ピース５０を上方に付勢している。かかる構成によって、自由状態ではスライダ４０の規制面４４と、スライド規制ピース５０の規制対向面５５との間には所定の隙間が保たれている。
【００５３】
図１２は、ストッパ６０を示す斜視図である。（ａ）、（ｂ）いずれも図５に表されているのとは手前／奥方向が逆に描かれている。孔６２には軸２が嵌め入れられ、軸２はケース２０の孔２２に取り付けられる。かくしてストッパ６０はケース２０に対して回動自在とされている。孔６１には接触子６５が嵌めいれられて固定されている。接触子６５の一端側（紙面手前側）はストッパ６０から突出しており、スライダ４０のカム溝４５とともに、カム機構を形成する。ストッパ６０の紙面手前側は略「Ｖ」字形状をなし、一方の端部はケース２０の上部に形成されたスリット状開口２４から突出して障子１２０、１３０の閉鎖を規制する障子当接部６３とされ、他方の端部はケース２０の上板下面に当接されて、ストッパ６０の回動範囲を規制する（図７（ｂ）参照）回動規制部６４として構成されている。ストッパ６０の上記「Ｖ」字状に形成された部位とは反対側の部位は略直角に形成された先端部６７を備えている。先端部６７の下面側は回動規制面６６であり、ストッパ６０の回動範囲を規制している（図７（ｂ）参照）。
【００５４】
ここで念のために、スライダ４０、スライド規制ピース５０、トリガー３０、及びストッパ６０の位置関係に付いて整理すると、図５において、軸１、２と直交する方向に図面手前側から平行な３枚の平面、Ｉ、ＩＩ、ＩＩＩが観念される。面Ｉ上にはトリガー３０、及びストッパ６０が配置されている。面ＩＩには、スライダの動作規制部４３、及びカム溝部４７、並びにスライド規制ピースの動作規制部５２が配設されている。面ＩＩＩ上にはスライダのスライダ本体４６が配置されている。軸１、２は、これら３平面を直交方向に貫き、接触子３５、６５は、面Ｉに固定されるとともに面ＩＩ内に浸入している。
【００５５】
図１３Ａは、スライダ４０の動作規制部４３、及びスライド規制ピース５０の動作規制部５２と、その周囲を移動される接触子３５とを概念的に示す図である。障子１２０、１３０の閉鎖動作に伴い、接触子３５は概略図の鎖線で示される軌道上を巡回する。以下にその詳細を図１３Ｂ、図１４、及び図１５を参照しつつ説明する。
【００５６】
図１３Ｂは、動作規制ボックス１０と、障子１３０との関係を示す第一図である。（ａ）は、障子（本図では内障子１３０である。）が開放されている状態を示しており、このときトリガー３０はケース２０の上面から突出しており、接触子３５は動作規制部５２の立設面５３上部に当接されている。一方、ストッパ６０は、ケース２０内に没しており、このとき接触子６５はカム溝４５の最下端に配置されている。
【００５７】
（ａ）の状態から障子１３０が閉鎖されてくると、障子の右縦框がトリガー３０の頂部３４に当接され被接触面３３上を摺動しつつ、トリガー頂部３４をストッパ６０方向に回動させる（（ａ）〜（ｆ））。この回動により接触子３５は立設面５３上を下方に摺動しつつスライド規制ピースの動作規制部５２を図面右方向に押し込む。スライド規制ピース５０と嵌合されているスライダ４０はこの押し込みにより、コイルばね８０の付勢に抗して図面右方向に移動される。これによって、カム溝４５も図面右方向に移動されるので、カム機構により接触子６５は上方に押し上げられ、ストッパ６０は軸２の周りに回動させられる。而して、ストッパ６０の障子当接部６３がケース２０の上面から突出されて、障子１３０の右方向への移動（閉鎖動作）を規制する。障子１３０がストッパ６０に当接される位置まで来ると（図１３Ｂの（ｇ）、図１４の（ｈ））、トリガー３０の頂部３４は障子１３０上枠１３１側面に接し、接触子３５は動作規制部５２の立設面５３から脱落し、スライダの動作規制部４３に接触している。
【００５８】
かかる状態から、一旦障子１３０を開放側に引き戻すと、トリガー３０は、図の左方向に戻るように回動されるが、接触子３５は、スライド規制ピースの動作規制面５２と、スライダの動作規制部４３との間の隙間を移動される（図１４（ｈ）〜（ｋ））。この間に接触子３５はスライド規制ピース動作規制部５２とスライダ４０の動作規制部４３との間を移動した後、スライド規制ピース動作規制部５２の上面（図１３Ａにおける参照符号５５が指し示している近傍）に当接される（図１４（ｋ）〜（ｊ））。すると、その位置以上に接触子３５は上方に移動することができなくなる。一方、スライダ４０は若干図面左方向に移動するが、スライド規制ピース動作規制部５２の右テーパー面と接触子３５とが当接されるとそれ以上は移動ができなくなる。この状態において、トリガー３０がねじりばね７０で戻ろうとする力と、スライダ４０がコイルばね８０で戻ろうとする力とが釣り合って、図１４（ｋ）の状態が保持される。
【００５９】
再び、障子１３０を閉鎖方向に移動させると（図１４（ｌ））、トリガー３０の頂部３４が再び図面右方向に回動される。このとき接触子３５は、さらにスライド規制ピースの動作規制面５２と、スライダの動作規制部４３との間の隙間を移動され（図１４（ｌ）〜（ｍ））、遂にはこの隙間から脱出して図面右方向に移動される（図１４（ｎ）〜（ｏ））。接触子３５が上記の状態になると、スライダ４０が自由となり、再びコイルばね８０の付勢により図面左方向に移動する（図１４（ｎ）〜（ｏ））。かかるスライダ４０の動作によって、カム機構を介してストッパ６０が反時計回りの方向に回動されて、ストッパの障子当接部６３がケース２０の内部に没し、障子１３０の閉鎖動作の規制が解除されて閉鎖が完了する（図１４（ｏ）、図１５（ｐ））。
【００６０】
再び障子１３０を開放すると、接触子３５は、スライド規制ピース動作規制部５２の傾斜面５４上をコイルばね９０の付勢に抗しつつ図面左方向に移動し、（図１５（ｐ）〜（ｘ））さらにトリガー３０から障子１３０が離れた状態では接触子３５は元の動作規制部５２の立設面５３に当接する位置に復帰する（図１５（ｙ）。この間、スライダ４０は接触子３５による水平方向の押圧を受けないので、動作が行われることがない。したがって、ストッパ６０もこの間には動作しない。
【００６１】
図１６は、本発明の第二実施形態にかかる開口部装置の室内側から示す正面図である。図示の開口部装置２００は、内障子２３０の下桟２３２右縦框２３４寄り（図面において「Ｃ１」にて表されている部位）、及び外障子２２０の下桟２２２左縦框２２３寄り（図面において「Ｃ２」にて表されている部位）にそれぞれ動作規制ボックス１０Ａ、１０Ｂを備えている。なお、第一実施形態にかかる開口部装置１００と同一の部材には参照符号の数字一桁目を「１」から「２」に変更して表し、それらの説明は省略する。以下の図においても同様である。
【００６２】
図１７は、図１６のＣ１部を拡大して示す透視図である。また、図１８は、外障子２２０と内障子２３０を重ねたときの状態において、見込み方向垂直断面を拡大して示す図である。これらの図からも明らかなように、本実施形態においては、動作規制ボックス１０Ａ、１０Ｂは障子２２０、２３０の下面側にトリガー、及びストッパが突出するように各障子の下桟２２２、２３２に取り付けられている。下枠２１２には、これら障子から下方に突出するトリガー、ストッパと位置的な干渉をするように、干渉ピース２５０Ａ、２５０Ｂが取り付けられている。かかる構成をとることによっても、開口部装置２００は、開口部装置１００と同様の効果を奏することができる。
【００６３】
図１９は、本発明の第三実施形態にかかる開口部装置の室内側から示す正面図である。図示の開口部装置３００は、上枠３１１の左右両端部近傍（図面においてＤ１、Ｄ２にて表されている部位）にそれぞれ動作規制ボックス１０ａ、１０ｂを備えている。なお、第一実施形態にかかる開口部装置１００と同一の部材には参照符号の数字一桁目を「１」から「３」に変更して表し、それらの説明は省略する。以下の図においても同様である。
【００６４】
図２０は、図１９のＤ２部を拡大して示す透視図である。また、図２１は、Ｄ２部の見込み方向垂直断面を拡大して示す図である。なお、この図にはＤ１部の動作規制ボックス１０ａもいわゆる見え線として併記されている。これらの図からも明らかなように、本実施形態の開口部装置３００においては、動作規制ボックス１０ａ、１０ｂは上枠３１１の下面側にトリガー３０、及びストッパ６０が下向に突出するように取り付けられている。障子３２０、３３０の開閉動作により、外障子３２０の左縦框３２３の上端、及び内障子３３０の右縦框３３４の上端が、動作規制ボックス１０ａ、１０ｂの下面側から突出するトリガー３０、ストッパ６０と位置的に干渉する。かかる構成の開口部装置３００も、開口部装置１００、２００と同様の効果を奏する機能を備えることができる。なお、開口部装置３００においては、動作規制ボックスを上枠内に設けたが、下枠内に配置してトリガー３０、ストッパ６０をボックス１０の上面側に上方に突出させるように構成しても良い。
【００６５】
また、上記各実施形態では、トリガー、スライド規制ピース、スライダ、ストッパ等をケース内に配設して動作規制ボックスを構成し、この動作規制ボックスを上又は下の枠体、あるいは障子の上又は下の桟に取り付ける例を説明したが、トリガー、スライド規制ピース、スライダ、ストッパ等を直接上又は下の枠体、あるいは障子の上又は下の桟に取り付けるように構成しても良い。
【００６６】
本発明において、トリガー、スライド規制ピース、スライダ、ストッパ、ケース等を形成する材料は特に限定されず、鋼、アルミニウム、銅、チタン等の金属材料、ポリエチレン、ポリスチレン、ポリプロピレン、ＰＥＴ、ＰＢＴ、ＰＯＭ、ポリカーボネート、ＡＢＳ樹脂や、各種エンジニアリングプラスチック等の合成樹脂等を使用することが可能である。
【００６７】
さらに、上記本発明においては、相対位置感知手段として、トリガーを使用した構成を開示したが、本発明はこれに限定されるものではなく、例えば相対位置感知手段として、位置センサを使用し、かかる位置センサからの情報に基づいて制御手段を介してストッパの動作を制御しても良い。
【００６８】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００６９】
【図１】本発明の一実施形態にかかる開口部装置を室内側から示す正面図である。
【図２Ａ】図１のＡ部の縦断面図である。
【図２Ｂ】図１のＢ部の縦断面図である。
【図２Ｃ】図２Ｂの上部を拡大し、併せて外障子を書き加えた縦断面図である。
【図３Ａ】図１のＡ部の横断面図である。
【図３Ｂ】図１のＢ部の横断面図である。
【図４】図３Ｂにおける動作規制ボックスの納まり図である。
【図５】動作規制ボックスの分解斜視図である。
【図６】動作規制ボックスの斜視図である。
【図７】動作規制ボックスの断面を示す図である。
【図８】動作規制ボックスのケースを示す斜視図である。
【図９】トリガーを示す斜視図である。
【図１０】スライダを示す斜視図である。
【図１１】スライド規制ピースを示す斜視図である。
【図１２】ストッパを示す斜視図である。
【図１３Ａ】スライダの動作規制部、及びスライド規制ピースの動作規制部と、その周囲を移動されるトリガーの接触子とを概念的に示す図である。
【図１３Ｂ】動作規制ボックスと、障子との関係を示す第一図である。
【図１４】動作規制ボックスと、障子との関係を示す第二図である。
【図１５】動作規制ボックスと、障子との関係を示す第三図である。
【図１６】本発明の第二実施形態にかかる開口部装置の室内側から示す正面図である。
【図１７】図１６のＣ１部を拡大して示す透視図である
【図１８】図１６の見込み方向垂直断面を拡大して示す図である。
【図１９】本発明の第三実施形態にかかる開口部装置の室内側から示す正面図である。
【図２０】図１９のＤ部を拡大して示す透視図である
【図２１】図１９のＤ部の見込み方向垂直断面を示す図である。
【符号の説明】
【００７０】
１  軸
２  軸
３  孔
４  孔
５  孔
１０、１０ａ、１０ｂ、１０Ａ、１０Ｂ  動作規制ボックス
１１、１１ｐ、１１ｑ  孔
１２、１２ｐ、１２ｑ  孔
２０  ケース
２１  孔
２２  孔
２３  スリット状開口
２４  スリット状開口
３０  トリガー
３１  孔
３２  孔
３３  被接触面
３４  頂部
３５  接触子
４０  スライダ
４１  穴
４２  陥没部
４３  動作規制部
４４  規制面
４５  カム溝
４６  スライダ本体
４７  カム溝部
５０  スライド規制ピース
５１  篏合部
５２  動作規制部
５３  立設面
５４  傾斜面
５５  規制対向面
５６  非貫通孔
６０  ストッパ
６１  孔
６２  孔
６３  障子当接部
６４  回動規制部
６５  接触子（従節）
６６  回動規制面
６７  先端部
７０  ねじりばね（第一弾性部材）
８０  コイルばね（第二弾性部材）
９０  コイルばね（第三弾性部材）
９５  ケース裏蓋
９６  孔
９７  孔
１００  第一実施形態にかかる開口部装置
１１０  枠体
１１１  上枠
１１２  下枠
１１３  左縦枠
１１４  右縦枠
１１５  振れ止め片
１１６  レール
１１７  振れ止め片
１１８  レール
１２０  外障子
１２１  上桟
１２２  下桟
１２３  左縦框
１２４  右縦框
１２５  クレッセント受け
１２６  ガラスパネル
１２７ｐ  グレージングチャネル
１２７ｑ  グレージングチャネル
１２８  戸車
１２９  振れ止めピース  
１３０  内障子
１３１  上桟
１３２  下桟
１３３  左縦框
１３４  右縦框
１３５  クレッセント受け
１３６  ガラスパネル
１３７ｐ  グレージングチャネル
１３７ｑ  グレージングチャネル
１３８  戸車
１３９  振れ止めピース
１４０  戸当たりストッパ
１５０  戸当たりストッパ
２００  第二実施形態にかかる開口部装置
２１０  枠体
２１１  上枠
２１２  下枠
２１３  左縦枠
２１４  右縦枠
２１６  レール
２１８  レール
２２０  外障子
２２１  上桟
２２２  下桟
２２３  左縦框
２２４  右縦框
２２５  クレッセント受け
２２６  ガラスパネル
２２８  戸車
２３０  内障子
２３１  上桟
２３２  下桟
２３３  左縦框
２３４  右縦框
２３５  クレッセント受け
２３６  ガラスパネル
２４０  戸車ユニット
２４１  戸車
２４２  戸車
２５０Ａ  干渉ピース（干渉部材）
２５０Ｂ  干渉ピース（干渉部材）
３００  第三実施形態にかかる開口部装置
２００  第二実施形態にかかる開口部装置
３１０  枠体
３１１  上枠
３１２  下枠
３１３  左縦枠
３１４  右縦枠
３１５  振れ止め片
３１７  振れ止め片
３２０  外障子
３２１  上桟
３２２  下桟
３２３  左縦框
３２４  右縦框
３２５  クレッセント受け
３２６  ガラスパネル
３２８  戸車
３３０  内障子
３３１  上桟
３３２  下桟
３３３  左縦框
３３４  右縦框
３３５  クレッセント受け
３３６  ガラスパネル
【図１】
2006022616.tif 000003
【図２Ａ】
2006022616.tif 000004
【図２Ｂ】
2006022616.tif 000005
【図２Ｃ】
2006022616.tif 000006
【図３Ａ】
2006022616.tif 000007
【図３Ｂ】
2006022616.tif 000008
【図４】
2006022616.tif 000009
【図５】
2006022616.tif 000010
【図６】
2006022616.tif 000011
【図７】
2006022616.tif 000012
【図８】
2006022616.tif 000013
【図９】
2006022616.tif 000014
【図１０】
2006022616.tif 000015
【図１１】
2006022616.tif 000016
【図１２】
2006022616.tif 000017
【図１３Ａ】
2006022616.tif 000018
【図１３Ｂ】
2006022616.tif 000019
【図１４】
2006022616.tif 000020
【図１５】
2006022616.tif 000021
【図１６】
2006022616.tif 000022
【図１７】
2006022616.tif 000023
【図１８】
2006022616.tif 000024
【図１９】
2006022616.tif 000025
【図２０】
2006022616.tif 000026
【図２１】
2006022616.tif 000027